(57)【要約】【課題】極めて簡素な構成として、製造コストの低減を図る。【解決手段】本発明のステーは、相互に揺動し得るように、互いの基端部１０ａ，２０ａ同士が連結される第１及び第２のアーム１０，２０を備えると共に、第１及び第２のアーム１０，２０の連結部に、第１及び第２のアーム１０，２０の揺動を緩慢なものとさせるダンパ３０が設けられている。従って、構造が極めて簡素で、構成部品の数も少なく、材料費を含む製造コストを低減することが可能である。【選択図】  図１
2004225248.tif 000002
【特許請求の範囲】
【請求項１】
相互に揺動し得るように、互いの基端部同士が連結される第１及び第２のアームを備えるステーであって、第１及び第２のアームの連結部に、第１及び第２のアームの揺動を緩慢なものとさせるダンパが設けられていることを特徴とするステー。
【請求項２】
前記ダンパは、前記第１及び第２のアームが、その先端部同士を近接させる方向又は離間させる方向のいずれか一方向に揺動する場合にのみ制動力を発揮するものであることを特徴とする請求項１に記載のステー。
【請求項３】
前記ダンパは、内部に形成される対向面間に粘性体が充填され、該対向面同士にずれが生じることにより発生する前記粘性体の抵抗を利用して、前記第１及び第２のアームの揺動を緩慢なものとさせるものであることを特徴とする請求項１又は２に記載のステー。
【請求項４】
前記ダンパは、前記第１及び第２のアームが、その先端部同士を近接させる方向又は離間させる方向のいずれか一方向に揺動する場合にのみ前記対向面同士にずれを生じさせる一方向性クラッチを具備することを特徴とする請求項３に記載のステー。
【請求項５】
前記第１のアームの基端部は、前記ダンパの内部に形成される各対向面のうちの一の対向面を形成する部材に直接連結され、前記第２のアームの基端部は、前記ダンパの内部に形成される各対向面のうちの他の対向面を形成する部材との間に前記一方向性クラッチを介在させて設けられる回転軸に直接連結されていることを特徴とする請求項４に記載のステー。
【発明の詳細な説明】
【０００１】
【産業上の利用分野】
本発明は、例えば、開口部を開閉可能に設けられる扉や蓋等の開閉体とその支持体との間に設けられるステーに関する。
【０００２】
【従来の技術】
従来、開閉体とその支持体との間に設けられるステーとして、相互に揺動し得るように、互いの基端部同士が連結された２つのアームからなるステーが知られている。しかし、かかるステーでは、開閉体が開閉動作する際に衝撃が発生し易いものであった。
【０００３】
そこで、開閉体が開閉動作する際の衝撃を緩和するため、ダンパを付加したステーが提案されている。具体的には、例えば、下記特許文献１には、ステー本体と、該ステー本体に基端部が回動可能に設けられた第１のアームと、該第１のアームの先端部に基端部が回動可能に設けられた第２のアームと、前記ステー本体に固定され、前記第１のアームの揺動を緩慢なものとさせるダンパとを具備するステーが開示されている。
【０００４】
【特許文献１】
特開２００１−３２９７４５号公報
【０００５】
【発明が解決しようとする課題】
しかしながら、上記特許文献１に記載のステーでは、第１のアームの基端部にダンパが連結された構成であるため、全体の構造が複雑で、構成部品の数も多く、材料費を含む製造コストが高くつくという問題がある。また、ステーの取付部、すなわち、第１のアームの取付側にダンパが存在することとなるため、ダンパの取付向きに注意が必要であり、その作業は必ずしも容易ではない。また、その取付作業を容易とするためには、目視でダンパの取付向きを確認できるようステー本体の形状に特徴付けをしなければならないなど、設計上の制約がある。
【０００６】
また、ダンパとして、筒体とその内部に設けられるロータとの間に形成される室内に流体を充填し、ロータの筒体に対する相対的回転により押圧される流体の圧力を利用して緩衝作用を奏する、所謂揺動型のものを用いているため、第１のアームの揺動が小さいときには、該第１のアームの揺動を緩慢なものとさせることが困難であるという欠点があった。すなわち、揺動型のダンパでは、その構造上、ロータの始動と同時に流体の圧力を発生させることが困難であり、圧力が生じたとしても、その圧力は非常に小さいものである。従って、第１のアームの揺動が小さいときには、ダンパが所定の制動力を発揮せず、第１のアームの自由な揺動を許容せざるを得ないものであった。その結果、かかるステーを、例えば扉に適用した場合、扉を全開位置から全閉位置へ至るまで閉じるときには、衝撃の発生を抑えることができても、その扉を少し開けた位置から全閉させるときには、ダンパが働かず、衝撃が発生する事態が生じることがあった。
【０００７】
本発明は上記事情に鑑みなされたものであり、緩衝機能を有するステーにおいて、極めて簡素な構成として、製造コストを低減することができるステーを提供することを課題とする。また、本発明は、アームの揺動に即座に反応して、該アームの揺動を緩慢なものとさせることができるステーを提供することを課題とする。
【０００８】
【課題を解決するための手段】
上記した課題を解決するため、請求項１に記載の本発明は、相互に揺動し得るように、互いの基端部同士が連結される第１及び第２のアームを備えるステーであって、第１及び第２のアームの連結部に、第１及び第２のアームの揺動を緩慢なものとさせるダンパが設けられていることを特徴とするステーを提供する。
請求項２に記載の本発明は、前記ダンパは、前記第１及び第２のアームが、その先端部同士を近接させる方向又は離間させる方向のいずれか一方向に揺動する場合にのみ制動力を発揮するものであることを特徴とする請求項１に記載のステーを提供する。
請求項３に記載の本発明は、前記ダンパは、内部に形成される対向面間に粘性体が充填され、該対向面同士にずれが生じることにより発生する前記粘性体の抵抗を利用して、前記第１及び第２のアームの揺動を緩慢なものとさせるものであることを特徴とする請求項１又は２に記載のステーを提供する。
請求項４に記載の本発明は、前記ダンパは、前記第１及び第２のアームが、その先端部同士を近接させる方向又は離間させる方向のいずれか一方向に揺動する場合にのみ前記対向面同士にずれを生じさせる一方向性クラッチを具備することを特徴とする請求項３に記載のステーを提供する。
請求項５に記載の本発明は、前記第１のアームの基端部は、前記ダンパの内部に形成される各対向面のうちの一の対向面を形成する部材に直接連結され、前記第２のアームの基端部は、前記ダンパの内部に形成される各対向面のうちの他の対向面を形成する部材との間に前記一方向性クラッチを介在させて設けられる回転軸に直接連結されていることを特徴とする請求項４に記載のステーを提供する。
【０００９】
（作用）
請求項１に記載の本発明によれば、第１及び第２のアームの連結部に、第１及び第２のアームの揺動を緩慢なものとさせるダンパが設けられているため、構造が極めて簡素で、構成部品の数も少なく、材料費を含む製造コストを低減することが可能である。また、第１及び第２のアームの取付部にダンパが存在しないため、取付部自体の構造も簡素なものとすることができ、取付作業を容易なものとすることができる。
請求項２に記載の本発明によれば、第１及び第２のアームが、その先端部同士を近接させる方向又は離間させる方向のいずれか一方向に揺動する場合にのみその動作を緩慢なものとさせることが可能となる。
請求項３に記載の本発明によれば、ダンパが、対向面同士にずれが生じることにより発生する粘性体の抵抗を利用して、第１及び第２のアームの揺動を緩慢なものとさせるものであるため、第１及び第２のアームの揺動に対して、ダンパが即座に反応して所定の制動力を発揮し得る。従って、第１及び第２のアームの揺動の大きさに拘わらず、それらの揺動を常に緩慢なものとさせることが可能となる。また、所謂揺動型のダンパを用いたものとは異なり、第１及び第２のアームがそれぞれ３６０度揺動可能であって、その揺動範囲は、ダンパの構造によって制限を受けないという利点がある。
請求項４に記載の本発明によれば、第１及び第２のアームが、その先端部同士を近接させる方向又は離間させる方向のいずれか一方向に揺動する場合にのみその動作を緩慢なものとさせることが可能となる。
請求項５に記載の本発明によれば、構造が極めて簡素で、組立工数も少なくて済むため、材料費を含む製造コストをより低減することが可能となる。
【００１０】
【発明の実施の形態】
以下、本発明の実施の形態を図面に基づいてさらに詳しく説明する。
図１及び図２は、本発明の一の実施の形態に係るステーを示す図であり、図１は平面図、図２は正面図である。これらの図に示したように、本実施形態に係るステーは、第１のアーム１０、第２のアーム２０及びダンパ３０を有して構成される。
【００１１】
第１のアーム１０は、基端部１０ａ側の幅が先端部１０ｂ側の幅よりも大きい平板状に形成され、その基端部１０ａには、厚さ方向に貫通する略四角形の孔１０ｃが設けられている。また、その先端部１０ｂには、厚さ方向に貫通する小孔１０ｄが設けられ、この小孔１０ｄに挿通される連結ピン４０を介して取付部材５０が回動自在に設けられている。
【００１２】
第２のアーム２０は、第１のアーム１０と同様に、基端部２０ａ側の幅が先端部２０ｂ側の幅よりも大きい平板状に形成され、その基端部２０ａには、第１のアーム１０の孔１０ｃよりも小さい厚さ方向に貫通する略四角形の孔２０ｃが設けられている。また、その先端部２０ｂには、第１のアーム１０と同様に、厚さ方向に貫通する小孔２０ｄが設けられ、この小孔２０ｄに挿通される連結ピン４０を介して取付部材５０が回動自在に設けられている。
【００１３】
第１及び第２のアーム１０，２０は、相互に揺動し得るように、互いの基端部１０ａ，２０ａ同士が連結されるが、その連結部には、第１及び第２のアーム１０，２０の揺動を緩慢なものとさせるダンパ３０が設けられている。
【００１４】
ここで、ダンパ３０としては、筒体とその内部に設けられるロータとの間に形成される室内に流体を充填し、ロータの筒体に対する相対的回転により押圧される流体の圧力を利用して緩衝作用を奏する、所謂揺動型のものを用いることもできる。しかし、揺動型のものでは、第１及び第２のアーム１０，２０の連結部に設けても、上記したように、第１及び第２のアーム１０，２０の揺動が小さいときには、第１及び第２のアーム１０，２０の揺動を緩慢なものとさせることが困難であるという欠点がある。そこで、ダンパ３０としては、内部に形成される対向面間に粘性体が充填され、該対向面同士にずれが生じることにより発生する上記粘性体の抵抗を利用して、第１及び第２のアーム１０，２０の揺動を緩慢なものとさせる、所謂粘性抵抗型のものを用いることが好ましい。
【００１５】
なお、第１及び第２のアーム１０，２０が常に一定の大きさで揺動するよう使用されるものに対しては揺動型のダンパも有効であり、本発明はかかる揺動型のダンパを用いることを排除するものではない。
【００１６】
本実施形態において採用したダンパ３０は、粘性抵抗型のものであり、図３に示したように、ハウジング３１、プラグ３２、ロータ３３、粘性体（図示せず）、回転軸３４、一方向性クラッチ３５を有して構成される。
【００１７】
ハウジング３１は、その内面側に凹凸を形成する突起部３１ａを有すると共に、その外面側には、第１のアーム１０の孔１０ａに挿通され、該孔１０ａと係合する平面視で略四角形の係合部３１ｂを有する。また、係合部３１ｂの略中央には、回転軸３４が挿通される貫通孔３１ｃが形成されている。ハウジング３１の開口部は、プラグ３２により閉塞されている。このプラグ３２は、その周縁部をハウジング３１にかしめることにより取り付けられている。
【００１８】
ロータ３３は、その一面側に、ハウジング３１の内面側の凹凸と噛み合う凹凸を形成する突起部３３ａを有すると共に、その略中央部分に、一方向性クラッチ３５を収容する凹部３３ｂと、該凹部３３ｂの底面とロータ３３の他面との間を軸方向に貫通する軸挿通孔３３ｃを有する。このロータ３３は、ハウジング３１とプラグ３２との間に形成される空間に、少なくともハウジング３１との間に隙間が形成されるような形で設けられる。本実施形態では、ロータ３３の他面側において、軸挿通孔３３ｃの開口部周囲に小突部３３ｄを形成し、プラグ３２との間にも隙間が形成されるようにロータ３３が設けられている。ロータ３３とハウジング３１又はプラグ３２との間に形成される隙間は極めて小さいものであり、この隙間には、粘性体が充填される。粘性体としては、グリスなどを用いることができる。
【００１９】
回転軸３４は、ハウジング３１の貫通孔３１ｃ及びロータ３３の軸挿通孔３３ｃに支持されており、この回転軸３４を中心として、ハウジング３１及びロータ３３はそれぞれ回転し得るように設けられている。ハウジング３１から突出する回転軸３４の端部３４ａは、平面視で略四角形に形成されており、かかる端部３４ａは、第２のアーム２０の孔２０ｃに挿通され、該孔２０ｃと係合する。
【００２０】
一方向性クラッチ３５は、ロータ３３と回転軸３４との間に介在して、回転軸３４が一方向へ回転した場合にのみロータ３３を回転させる働きをするものであり、かかる機能を果たすものであれば、どのような構造のものも用いることができる。本実施形態では、図４に示したように、軸方向に貫通する孔部３５ａの周囲に、ばね３５ｂにより付勢された球体３５ｃを配設した構造を有する一方向性クラッチ３５を用いている。
【００２１】
この一方向性クラッチ３５は、孔部３５ａに回転軸３４が挿通されると共に、外周がロータ３３の凹部３３ｂの内壁と係合して、該凹部３３ｂ内に設けられる。そして、回転軸３４が一方向（図４において時計回り方向）へ回転すると、それに伴い球体３５ｃがばね３５ｂを圧縮する方向へ移動し、一方向性クラッチ３５の筒部３５ｄを回転させ、これにより、一方向性クラッチ３５の外周に係合するロータ３３が回転する。一方、回転軸３４が逆方向（図４において反時計回り方向）へ回転した場合には、回転軸３４の外周面に接する球体３５ｃが常態位置にて回転するだけで移動せず、筒部３５ｄも回転しないため、ロータ３３は回転しない。
【００２２】
そして、本実施形態に係るステーでは、第１のアーム１０の基端部１０ａは、ダンパ３０の内部に形成される各対向面Ａ，Ｂのうちの一の対向面Ａを形成する部材に相当するハウジング３１に直接連結され、第２のアーム２０の基端部２０ａは、ダンパ３０の内部に形成される各対向面Ａ，Ｂのうちの他の対向面Ｂを形成する部材に相当するロータ３３との間に一方向性クラッチ３５を介在させて設けられる回転軸３４に直接連結されている。このように、第１及び第２のアーム１０，２０がダンパ３０に直接連結されることにより、その他の部材が介在しないため、構造が極めて簡素となり、また組立工数も少なくて済む。従って、材料費を含む製造コストを低減することが可能となる。なお、ダンパ３０に対し、第１及び第２のアーム１０，２０を直接連結する方法としては、ハウジング３１の係合部３１ｂ及び回転軸３４の端部３４ａをそれぞれかしめることにより連結することが好ましい。これにより製造コストをさらに低減することが可能となる。
【００２３】
上記のように構成される本実施形態のステーは、例えば、図５に示したように、開閉体６０とその支持体７０との間に設けられるが、その取り付けに当たり、このステーによれば、支持体７０と第１のアーム１０の取付部、開閉体６０と第２のアーム２０の取付部のいずれにもダンパ３０が存在しないため、取付部自体の構造が簡素であり、取付作業が容易である。
【００２４】
また、ダンパ３０が一方向性クラッチ３５を具備して構成されるため、開閉体６０の開動作に伴い第１及び第２のアーム１０，２０が、その先端部１０ｂ，２０ｂ同士を離間させる方向に揺動する場合には、第２のアーム２０の揺動によりダンパ３０の回転軸３４が回転しても、ロータ３３は回転しないため、ハウジング３１とロータ３３の対向面Ａ，Ｂ同士にずれが生じない。従って、その対向面Ａ，Ｂ間に充填された粘性体の抵抗が発生せず、ダンパ３０は開閉体６０の開動作を緩慢なものとさせる制動力を発揮しない。
【００２５】
一方、開閉体６０の閉動作に伴い第１及び第２のアーム１０，２０が、その先端部１０ｂ，２０ｂ同士を近接させる方向に揺動する場合には、第２のアーム２０の揺動によりダンパ３０の回転軸３４が回転することによって、ロータ３３がそれに追随して回転するため、ハウジング３１とロータ３３の対向面Ａ，Ｂ同士にずれが生ずる。これにより、その対向面Ａ，Ｂ間に充填された粘性体の抵抗が発生し、ハウジング３１及びロータ３３の回転力が減衰する。従って、ダンパ３０はかかる作用を利用して制動力を発揮し、第１及び第２のアーム１０，２０の揺動を緩慢なものとさせるため、開閉体６０は衝撃を発生することなく閉じる。
【００２６】
また、本実施形態に係るステーによれば、ダンパ３０として、内部に形成される対向面Ａ，Ｂ間に粘性体が充填され、該対向面Ａ，Ｂ同士にずれが生じることにより発生する上記粘性体の抵抗を利用して、第１及び第２のアーム１０，２０の揺動を緩慢なものとさせる構造のものを用いているため、第１及び第２のアーム１０，２０の揺動に対して、ダンパ３０が即座に反応して所定の制動力を発揮し得る。従って、第１及び第２のアーム１０，２０の揺動の大きさに拘わらず、それらの揺動を常に緩慢なものとさせることが可能である。また、ハウジング３１及びロータ３３がそれぞれエンドレスに回転可能であるため、第１及び第２のアーム１０，３０がそれぞれ３６０度揺動可能であって、その揺動範囲は、ダンパ３０の構造によって制限を受けないという利点がある。従って、かかるステーは、回動角度の大きい開閉体に対しても適用することができる。
【００２７】
【発明の効果】
以上説明したように、本発明によれば、緩衝機能を有するステーにおいて、極めて簡素な構成として、製造コストの低減を図ることが可能となる。
【図面の簡単な説明】
【図１】図１は、本発明の一の実施の形態に係るステーを示す平面図である。
【図２】図２は、上記実施形態に係るステーを示す正面図である。
【図３】図３は、上記実施形態において採用したダンパの内部構造を示す断面図である。
【図４】図４は、上記実施形態において採用した一方向性クラッチの構造を示す図である。
【図５】図５は、上記実施形態にかかるステーの作用を説明するための図である。
【符号の説明】
１０  第１のアーム
２０  第２のアーム
３０  ダンパ
３１  ハウジング
３２  プラグ
３３  ロータ
３４  回転軸
３５  一方向性クラッチ
４０  連結ピン
５０  取付部材
６０  開閉体
７０  支持体
【図１】
2004225248.tif 000003
【図２】
2004225248.tif 000004
【図３】
2004225248.tif 000005
【図４】
2004225248.tif 000006
【図５】
2004225248.tif 000007